(57)【要約】【課題】光反射による反射光処理を行い、視認性を高めることができると共に、光透過率を改善することができる偏光構造物及びこれを含む有機発光素子を提供する。【解決手段】本発明は、有機発光素子に関し、ウィンドウと、前記ウィンドウの下部に配置される偏光構造物と、前記ウィンドウと前記偏光構造物との間に配置され、前記ウィンドウ及び前記偏光構造物の屈折率と類似の屈折率を持って配置されるレジンと、前記偏光構造物の下部に配置される変調機能層とを含み、前記偏光構造物は、外部から入射される光を偏光する偏光層と、前記偏光された光の１次位相遅延を発生させる第１波長板と、前記第１波長板を透過した光に対して２次位相遅延を発生させる第２波長板とを含む構成を開示する。【選択図】図３
2011210724.tif 000002
【特許請求の範囲】
【請求項１】
ウィンドウと；
前記ウィンドウの下部に配置される偏光構造物と；
前記ウィンドウと前記偏光構造物との間に配置され、前記ウィンドウ及び前記偏光構造物の屈折率と類似の屈折率を持って配置されるレジンと；
前記偏光構造物の下部に配置される自発光層と；を含み、
前記偏光構造物は、
外部から入射される光を偏光する偏光層と；
前記偏光された光の１次位相遅延を発生させる第１波長板と；
前記第１波長板を透過した光に対して２次位相遅延を発生させる第２波長板と；を含むことを特徴とする有機発光素子。
【請求項２】
前記第１波長板は、半波長板であり、
前記第２波長板は、１／４波長板であることを特徴とする請求項１に記載の有機発光素子。
【請求項３】
前記第１波長板の遅相軸は、前記偏光層の吸収軸に対して１５度だけ傾く形状を有し、
前記第２波長板の遅相軸は、前記第１波長板の遅相軸に対して６０度だけ傾く形状を有することを特徴とする請求項２に記載の有機発光素子。
【請求項４】
前記第１波長板は、可視光線領域のうち特定領域の波長を集中吸収するか、または集中透過させるように形成されることを特徴とする請求項１に記載の有機発光素子。
【請求項５】
前記第２波長板は、前記第１波長板で集中吸収されるかまたは集中透過するように形成された領域を除いた領域の波長を集中吸収するかまたは集中透過させるように形成されることを特徴とする請求項４に記載の有機発光素子。
【請求項６】
前記第２波長板は、Ｒ、Ｇ及びＢ成分のうちＧ成分を集中吸収し、Ｒ成分及びＢ成分を集中透過させるように形成されることを特徴とする請求項１に記載の有機発光素子。
【請求項７】
前記第１波長板は、前記Ｒ成分及びＢ成分を吸収するように形成されることを特徴とする請求項６に記載の有機発光素子。
【請求項８】
上層に屈折率が類似なレジンが配置され、下層に自発光層が配置される偏光構造物において、
前記レジンを透過して入射される外部光を偏光する偏光層と；
前記偏光された光の１次位相遅延を発生させる第１波長板と；
前記第１波長板を透過した光に対して２次位相遅延を発生させる第２波長板と；を含むことを特徴とする有機発光素子に利用される偏光構造物。
【請求項９】
前記第１波長板は、半波長板であり、
前記第２波長板は、１／４波長板であることを特徴とする請求項８に記載の有機発光素子に利用される偏光構造物。
【請求項１０】
前記第１波長板の遅相軸は、前記偏光層の吸収軸に対して１５度だけ傾く形状を有し、前記第２波長板の遅相軸は、前記第１波長板の遅相軸に対して６０度だけ傾く形状であることを特徴とする請求項９に記載の有機発光素子に利用される偏光構造物。
【請求項１１】
前記第１波長板は、可視光線領域のうち特定領域の波長を集中吸収するかまたは集中透過させるように形成されることを特徴とする請求項８に記載の有機発光素子に利用される偏光構造物。
【請求項１２】
前記第２波長板は、前記第１波長板で集中吸収されるかまたは集中透過するように形成された領域を除いた領域の波長を集中吸収するかまたは集中透過させるように形成されることを特徴とする請求項１１に記載の有機発光素子に利用される偏光構造物。
【請求項１３】
前記第２波長板は、Ｒ、Ｇ及びＢ成分のうちＧ成分を集中吸収し、Ｒ成分及びＢ成分を集中透過させるように形成されることを特徴とする請求項８に記載の有機発光素子に利用される偏光構造物。
【請求項１４】
前記第１波長板は、前記Ｒ成分及びＢ成分を吸収するように形成されることを特徴とする請求項１３に記載の有機発光素子に利用される偏光構造物。
【請求項１５】
前記偏光構造物は、第１ＴＡＣ層と；
第２ＴＡＣ層と；
前記第１ＴＡＣ層と第２ＴＡＣ層との間に配置されるＰＶＡ層と；
前記第１ＴＡＣ層を第１波長板に接着するための第１接着層と；
前記第２波長板を自発光層に接着するための第２接着層と；をさらに含むことを特徴とする請求項８に記載の有機発光素子に利用される偏光構造物。
【発明の詳細な説明】
【技術分野】
【０００１】
本発明は、有機発光素子に関し、特にリアルブラック（Ｒｅａｌ  Ｂｌａｃｋ）を実現するための偏光構造物を利用する有機発光素子に関する。
【背景技術】
【０００２】
液晶表示装置や有機発光素子（ｅｌｅｃｔｒｏ  ｌｕｍｉｎｅｓｃｅｎｃｅ）においては、入力される映像信号によって透過光を光学的に変調するか、または映像信号による輝度で画素を自発光させることによって、画素ごとに階調を得る。このような透過光や発光輝度を画素ごとに変調する層を変調機能層と言う。液晶表示装置においては、液晶層が変調機能層に該当し、有機発光素子においては、有機ＥＬ発光層が変調機能層に該当する。
【０００３】
液晶層は、それ自体が完全に光を遮断するライトバルブではないため、液晶表示装置の場合、液晶層の上下方向の両側、すなわちバックライト側及び表示面側の各々に１個の偏光板を配置するようになる。このような偏光板による光損失を考慮して、従来、液晶表示装置は、実用に適した水準に至るまでコントラストを高める必要がある。
【０００４】
一方、有機発光素子の発光層は、電圧を印加しない時は、光を照射しない。そのため、有機発光素子は、完全な黒色表示が可能であり、液晶表示装置に比べて相対的に高いコントラストを提供する。したがって、黒色表示過程で発光を遮蔽するという目的で偏光板を表示面側に設置する必要はない。しかし、屋外で使用される有機発光素子は、外光により内部の金属配線による反射が発生し、それによりコントラストが低下する現象が生じやすい。内部の金属反射による光は、画面表示と関係なく、黒色表示である時にも発生するので、コントラスト低下の要因となる。このような反射によって発生するコントラスト低下を防止するために、有機発光素子においても表示面側に偏光板と波長板を組み合わせた偏光構造物を配置する場合がある。
【０００５】
しかし、このような構造を利用するとしても、最上層に配置されるガラス基板と偏光構造物との間に屈折率が異なる空気層が形成されるので、ガラス基板の外部からガラス基板の内側方向に入射される光が偏光構造物により反射される問題点は相変らず残るようになる。これにより、外部から入射される光による光反射を最小化することができると共に、自発光された光の透過率を改善することができる方法が要求されている。
【発明の概要】
【発明が解決しようとする課題】
【０００６】
したがって、本発明の目的は、光反射による反射光処理を行い、視認性を高めることができると共に、光透過率を改善することができる偏光構造物及びこれを含む有機発光素子を提供することにある。
【課題を解決するための手段】
【０００７】
上記目的を達成するための本発明の好ましい実施形態による有機発光素子は、ウィンドウと、前記ウィンドウの下部に配置される偏光構造物と、前記ウィンドウと前記偏光構造物との間に配置され、前記ウィンドウ及び前記偏光構造物の屈折率と類似の屈折率を持って配置されるレジンと、前記偏光構造物の下部に配置される自発光層とを含み、前記偏光構造物は、外部から入射される光を偏光する偏光層と、前記偏光された光の１次位相遅延を発生させる第１波長板と、前記第１波長板を透過した光に対して２次位相遅延を発生させる第２波長板と、を含むことを特徴とする。
【０００８】
また、本発明の好ましい実施形態による有機発光素子に含まれる偏光構造物は、前記レジンを透過して入射される外部光を偏光する偏光層と、前記偏光された光の１次位相遅延を発生させる第１波長板と、前記第１波長板を透過した光に対して２次位相遅延を発生させる第２波長板と、を含むことを特徴とする。
【発明の効果】
【０００９】
本発明の実施形態による有機発光素子及びこれに利用される偏光構造物は、外部から入射される自然光による光反射を除去し、視認性が高い表示装置を提供することができる。
【図面の簡単な説明】
【００１０】
【図１】本発明の実施形態による有機発光素子の外観を概略的に示すブロック図である。
【図２】図１の切断線Ａ−Ａ’を基準にして切断した断面を示す断面図である。
【図３】本発明の実施形態による偏光構造物の階層図を概略的に示す図である。
【図４】本発明の実施形態による偏光構造物の光学特性を説明するための図である。
【図５】本発明の実施形態による偏光構造物を有する有機発光素子の波長帯域別反射特性を示すグラフである。
【発明を実施するための形態】
【００１１】
以下、本発明による好ましい実施形態を添付の図面を参照して詳しく説明する。下記の説明では、本発明の実施形態による動作を理解するのに必要な部分だけが説明され、その他の部分の説明は、本発明の要旨を不明瞭にしないように省略される。
【００１２】
以下で説明される本明細書及び特許請求範囲に使用された用語や単語は、通常的または辞書的な意味に限定して解すべきものではなく、発明者が自分の発明を最善の方法で説明するための用語の概念として適切に定義することができるという原則に即して、本発明の技術的思想に符合する意味や概念として解釈されるべきである。したがって、本明細書に記載された実施形態と図面に示された構成は、本発明の最も好ましい実施形態に過ぎず、本発明の技術的思想をすべて代弁するものではないので、本出願の時点においてこれらを代替することができる多様な均等物と変形例があり得ることを理解すべきである。
【００１３】
例えば、以下の説明において、自発光層をＡＭＯＬＥＤ（Ａｃｔｉｖｅ  Ｍａｔｒｉｘ  ＯＬＥＤ）を基準にして説明するが、本発明がこれに限定されるものではない。すなわち本発明は、ＰＭＯＬＥＤ（Ｐｏｓｉｔｉｖｅ  Ｍａｔｒｉｘ  ＯＬＥＤ）などにも適用可能なものであって、自発光素子を基本とする表示素子に適用可能なものと理解すべきである。
【００１４】
図１は、本発明の実施形態による有機発光素子に具現された有機発光素子の外観を概略的に示す図であり、図２は、図１の切断線Ａ−Ａ’を基準にして切断した断面を概略的に示す図である。図１及び図２を参照すれば、本発明の有機発光素子１００は、変調機能層に該当するＡＭＯＬＥＤ層１４０、偏光構造物（Ｐｏｌａｒｉｚｅｒ）１３０、レジン（Ｒｅｓｉｎ）１２０、ウィンドウ（Ｗｉｎｄｏｗ）１１０及び前述した各層を取り囲むケース１５０を含むことができる。
【００１５】
このような構造を有する本発明の有機発光素子１００は、前記レジン１２０をウィンドウ１１０と偏光構造物１３０との間に配置し、且つ前記レジン１２０をウィンドウ１１０及び偏光構造物１３０と屈折率が類似の物質で配置する。これにより、前記有機発光素子１００は、ウィンドウ１１０の外部から入射される光がウィンドウ１１０と偏光構造物１３０との間に形成された空気層による反射を除去する構造を有することができる。すなわち本発明の有機発光素子１００は、ウィンドウ１１０とレジン１２０及び偏光構造物１３０が類似の屈折率を有するようになるので、光が入射される外側を基準にして、ウィンドウ１１０の下面及び偏光構造物１３０の上面での反射を除去することができる。
【００１６】
一方、前述したような構造の本発明の有機発光素子１００は、偏光構造物１３０の反射特性による光をウィンドウ１１０の方向に投射するようになる。この時、偏光構造物１３０を構成する階層の色感が同一であると仮定すれば、位相遅延（Ｒｅｔａｒｄａｔｉｏｎ）フィルムの特性は、偏光構造物１３０の反射色感を左右するようになる。これにより、本発明の偏光構造物１３０は、２分の１波長板と４分の１波長板を複層で構成し、外部から入射される光による偏光構造物１３０の光反射を除去し、実際黒色表示を達成することによって、有機発光素子１００の視認性を高めることができる。以下、各構成について簡略に説明する。
【００１７】
前記ＡＭＯＬＥＤ層１４０は、外部から供給される信号によって光を発生し、且つマトリックス構造で形成され、出力するデータの色特性によってマトリックスを構成する各セルの光を調節する自発光層である。このようなＡＭＯＬＥＤ層１４０は、前述した自発光層と、自発光層の光の発散及び明るさを調節する駆動部とで構成されることができる。また、前記ＡＭＯＬＥＤ層１４０は、色相を表現するためにカラーフィルタ層が自発光層の上部に配置されることができる。また、本発明のＡＭＯＬＥＤ層１４０は、自発光層を構成する各セル上にＴＳＰ（Ｔｏｕｃｈ  Ｓｃｒｅｅｎ  Ｐａｎｅｌ）が配置されることができる。このようなＡＭＯＬＥＤ層１４０は、ウィンドウ１１０の外部から偏光構造物１３０を経て入射される光を反射することができる。これをさらに詳しく説明すれば、前記ＡＭＯＬＥＤ層１４０は、マトリックスセル構造を形成するために多数の金属性信号ラインを有するようになり、このような金属性信号ラインは、入射される光を反射するようになる。また、前記ＡＭＯＬＥＤ層１４０に存在するその他の金属性物質も前記金属性信号ラインと一緒に入射される光を反射することができる。一方、ウィンドウ１１０を経て偏光構造物１３０を通過する光は、偏光構造物１３０で円偏光され、この時、前記円偏光された光は、ＡＭＯＬＥＤ層１４０で光反射を有するようになる。
【００１８】
前記偏光構造物１３０は、前記ウィンドウ１１０の外部から入射される光を直線偏光する構造物と、直線偏光された光の偏光角度を調整し、円偏光に変換する構造物とを含み、変換された円偏光を前記ＡＭＯＬＥＤ層１４０に投射する。また、前記偏光構造物１３０は、ＡＭＯＬＥＤ層１４０から反射される光を無反射処理することができる。このような前記偏光構造物１３０は、ＡＭＯＬＥＤ層１４０から反射された光の特定帯域可視光線を除去する構造をさらに有することができる。また、前記偏光構造物１３０は、ＡＭＯＬＥＤ層１４０から生成されて照射される光の位相遅延のみを有するように調節すると共に、特定帯域の波長のみを吸収及び偏光するように支援することによって、ＡＭＯＬＥＤ層１４０から照射された光の透過効率を高めることができる。前記偏光構造物１３０の詳細構造については、図３及び図４を参照してさらに詳しく後述する。
【００１９】
前記レジン１２０は、前記ウィンドウ１１０と前記偏光構造物１３０との間に配置され、前記ウィンドウ１１０と前記偏光構造物１３０との間に発生しうる空気層を除去する役目を行う。この時、前記レジン１２０は、前記ウィンドウ１１０及び前記偏光構造物１３０の屈折率と類似の屈折率を有する物質で形成され、ウィンドウ１１０の外部から入射される光が前記ウィンドウ１１０の表面及び前記偏光構造物１３０の表面で発生しうる光反射を除去する役目を行うことができる。このようなレジン１２０は、製作過程で前記ウィンドウ１１０と一体形に製作された後、前記偏光構造物１３０の上部に配置されることができる。
【００２０】
前記ウィンドウ１１０は、前記ケース１５０によって縁部が固定され、レジン１２０を介して前記偏光構造物１３０及び前記ＡＭＯＬＥＤ層１４０の上部に配置されるようになる。このようなウィンドウ１１０は、強化ガラスや透明な強化プラスチック材質で形成されることができる。本発明の構造では、前記ＡＭＯＬＥＤ層１４０の各セルの上部にＴＳＰが配置される構造で説明するので、前記ウィンドウ１１０の上部または下部にＴＳＰが配置されない構造で説明する。しかし、本発明がこれに限定されるものではなく、本発明の有機発光素子１００は、前記ＡＭＯＬＥＤ層１４０に形成されるＴＳＰが前記ウィンドウ１１０の上部または下部に配置される構造を利用することもできる。
【００２１】
前記ケース１５０は、前記ＡＭＯＬＥＤ層１４０、偏光構造物１３０、レジン１２０及びウィンドウ１１０を取り囲む構造物である。このようなケース１５０は、前述したＡＭＯＬＥＤ層１４０、偏光構造物１３０、レジン１２０及びウィンドウ１１０が実装された後、各構成が遊動しないように、各構造物に適切な圧力を加える構造で形成されることができる。また、前記ケース１５０の一側には、前述した圧力を提供するために、一定の結合構造物、例えばフックなどが追加に形成されるか、または結合構造物、例えば、ねじ結合構造物などが付加されることができる。
【００２２】
前述したように、本発明の有機発光素子１００は、ウィンドウ１１０とレジン１２０及び偏光構造物１３０を配置し、外部から入射される光が偏光構造物１３０の反射特性を除いて他の位置で反射されないようにする構造を支援する。また、前記偏光構造物１３０は、入射される光を各々円偏光に変換し、且つ一定の角度だけずつ位相遅延させて、反射される光が透過されずに相殺されるように形成される。以下、本発明の実施形態による偏光構造物１３０の階層と、偏光特性及び光反射除去に関する説明を図面を参照してさらに詳しく説明する。
【００２３】
図３は、本発明の実施形態による偏光構造物１３０の階層をさらに詳しく示す図であり、図４は、第１波長板１３５、第２波長板１３６及びＡＭＯＬＥＤ層１４０の間で発生する光学的特性を説明するための図である。説明に先立って、以下、偏光構造物１３０の光変化を理解するために偏光について説明すれば、偏光の種類は、大きく、直線偏光と、円偏光及び楕円偏光を含むことができ、実質的に直線偏光と円偏光は、楕円偏光の特定の形態に該当することができる。
【００２４】
直線偏光は、電場ベクトルが入射平面内で特定方向の直線を描く形態を有し、この直線の方向は、２つの成分のベクトルの和によって決定されることができる。円偏光は、電場ベクトルが入射平面で２つの成分のベクトルの和が円形に続いて変化する場合、２つの成分の振幅が正確に同一であり、位相差が９０度である場合に発生する光変化である。この時、ｙ成分の位相がｘ成分より９０度進んでいる場合、偏光状態は、時計方向に回転し、これを左円偏光と言い、反対にｘ成分の位相がｙ成分より９０度進んでいる場合、偏光状態は、反時計方向に回転し、これを右円偏光と言う。楕円偏光は、直線偏光及び円偏光ではない、他のすべての場合に該当し、合成された電場ベクトルが回転しながらサイズも変わる場合、楕円を描くようになるが、このような光の変化を意味する。
【００２５】
一方、図３及び図４を参照すれば、本発明の偏光構造物１３０は、上側から第１ＴＡＣ層（Ｔｒｉ−Ａｃｅｔｙｌ  Ｃｅｌｌｕｌｏｓｅ）１３１、偏光層に該当するＰＶＡ層（Ｐｏｌｙ−Ｖｉｎｙｌ  Ａｃｅｔａｔｅ）１３２、第２ＴＡＣ層１３３、第１接着層１３４、第１波長板（Ｒｅｔａｒｄａｔｉｏｎ）１３５、第２波長板１３６及び第２接着層１３７を含む。
【００２６】
このような構成を有する本発明の偏光構造物１３０は、ウィンドウ１１０とレジン１２０を通過した外部光が前記ＰＶＡ層１３２を通じて直線偏光に変更され、変更された直線偏光がさらに第１波長板１３５と第２波長板１３６を経て前記ＡＭＯＬＥＤ層１４０に投射される構造を有する。また、前記ＡＭＯＬＥＤ層１４０に形成された信号ラインなどによって光反射された光のうち全体の可視光線領域または特定の可視光線帯域の光は、さらに前記第２波長板１３６、第１波長板１３５に吸収され、全体的に前記ＰＶＡ層１３２を通じて外部に透過される光を除去することができる。これにより、本発明の偏光構造物１３０は、外部から透過される光のうち特定帯域の光を段階別に位相遅延させると共に、吸収する構造を有することによって、光反射を除去することができる。また、本発明の偏光構造物１３０は、ＡＭＯＬＥＤ層１４０で生成され、前記第２波長板１３６、第１波長板１３５、ＰＶＡ層１３２を透過する光のうち特定帯域の光を段階的に除去することによって、光の透過効率を改善することができる。以下、各階層についてさらに詳しく説明する。
【００２７】
前記第１ＴＡＣ層１３１及び第２ＴＡＣ層１３３は、セルロース原料に無水酢酸を反応させて得たＴＡＣ樹脂をメチレンクロライドなどの溶媒でドープした後、キャスティング法で膜を形成することができる。このような第１ＴＡＣ層１３１及び第２ＴＡＣ層１３３は、前記ＰＶＡ層１３２の保護フィルムとして利用され、光学的に等方であり、且つ透明性と機械的強度に優れていて、温度及び湿度変化に対する寸法安定性を提供することができる。前記第１ＴＡＣ層１３１及び第２ＴＡＣ層１３３は、前記ＰＶＡ層１３２を上下でラミネートし、ＰＶＡ層１３２を保護するようになる。前記第１ＴＡＣ層１３１及び第２ＴＡＣ層１３３は、防幻（ＡｎｔｉＧｌａｒｅ）、低反射（Ｌｏｗ  Ｒｅｆｌｅｃｔｉｏｎ）、または前記両機能を同時に付与したＡＧ／ＬＲ（Ａｎｔｉ  Ｇｌａｒｅ／Ｌｏｗ  Ｒｅｆｌｅｃｔｉｏｎ）フィルム形態で製作されることができる。
【００２８】
前記ＰＶＡ層１３２は、様々な方向に振動しながら入射される自然光を一方の方向だけに振動する光、すなわち偏光になるようにする機能を提供する。このようなＰＶＡ層１３２は、ＰＶＡのフィルムを延伸させて、ヨードＩ２と二色性染料の溶液に浸漬し、ヨード分子と染料分子を延伸方向に並んで配列させることによって獲得されることができる。しかし、前記ＰＶＡ層１３２は、それ自体は透過軸の方向に対する機械的強度が弱く、熱や水分によって収縮するか、または偏光機能が低下するので、上下面に前述した第１ＴＡＣ層１３１及び第２ＴＡＣ層１３３が配置され、強度と収縮から保護されることができる。
【００２９】
前記第１接着層１３４は、前記第１ＴＡＣ層１３１及び第２ＴＡＣ層１３３がラミネートされたＰＶＡ層１３２を後述する第１波長板１３５及び第２波長板１３６に接着させるように支援する。また、前記第２接着層１３７は、完成された偏光構造物１３０をＡＭＯＬＥＤ層１４０に接着されることができるように支援する。
【００３０】
前記第１波長板１３５及び第２波長板１３６は、通過する光の偏光状態を変更する光学素子である。電磁気波が前記第１波長板１３５または第２波長板１３６を通過すれば、偏光方向（電場ベクトル方向）が光軸に平行するか、または垂直である２つの成分、例えば、正常光線と異常光線の和になり、波長板の複屈折と厚さによって２つの成分のベクトルの和が変わるようになるので、通過した後の偏光方向が変わる。特に本発明の第１波長板１３５は、偏光方向を１８０度変化させるλ／２波長板（半波長板）であり、第２波長板１３６は、偏光方向を９０度変化させるλ／４波長板である。前記第２波長板１３６がλ／４波長板の場合、波の強さが一定であると仮定する時、前記第２波長板１３６を透過した偏光は、９０度位相差遅延によって円の方程式による偏光変化を有するようになる。すなわち透過された光のｘ−ｙ座標がサイン（Ｓｉｎｅ）、コサイン（Ｃｏｓｉｎｅ）関数形態で現われる。これにより、前記第２波長板１３６を透過した光は、円偏光になる。また、第１波長板１３６は、λ／２波長板で形成されることによって、入射される光を１８０度位相遅延させる。すなわち第１波長板１３６は、入射される水平偏光を垂直偏光に、または垂直偏光を水平偏光に変換させる。
【００３１】
一方、図４に示されたように、前記第１波長板１３５及び第２波長板１３６が各々λ／２波長板及びλ／４波長板として配置されれば、第１波長板１３５を透過した光は、１８０度位相遅延が発生した後、さらに第２波長板１３６を透過するようになり、この時、第２波長板１３６で９０度の位相遅延が発生することができる。第２波長板１３６を透過した光は、前述したように、前記ＡＭＯＬＥＤ層１４０に配置された多様な素子、例えば、信号ラインによって反射され、反射された光は、さらに第２波長板１３６に入射されることができる。この時、第２波長板１３６を透過した光は、９０度位相遅延が発生するようになるので、第２波長板１３６の下面に再入射される反射光は、第２波長板１３６により閉鎖され、放出されないようになる。結果的に、前記第２波長板１３６は、透過した光を無反射処理するようになる。この時、第２波長板１３６は、可視光線全体波長領域に対して一定の透過率を有するように形成されることができ、このような全体可視光線波長領域に対して一定の透過率を有するように形成された第２波長板１３６は、特性上、透過効率が多少低い割合で形成されることができる。このような透過効率を補強するために、前記第２波長板１３６は、特定の波長領域に集中的な透過率を有すると共に、特定の波長領域に集中的な吸収率を有するように形成されることができる。例えば、前記第２波長板１３６は、白色光を構成するＲ（ｒｅｄ）、Ｇ（ｇｒｅｅｎ）、Ｂ（ｂｌｕｅ）の要素のうちＧの波長領域を集中的に吸収することができるように形成されることができ、残りの要素、例えば、Ｒ及びＢの要素に対しては透過率が高いように染料培養または特定の方式によって蒸着された構造を有することができる。
【００３２】
これをさらに詳しく説明すれば、Ｒ、Ｇ及びＢの光効率は、一般的にＧの効率が最も高く現われる。これにより、前記第２波長板１３６において、Ｇの吸収率を高く形成し、ＲとＢの透過率を高く形成する場合、前記第２波長板１３６は、全体的に白色光の透過率を以前より高く維持することができる。しかし、このような第２波長板１３６の特定領域帯の吸収率増加による透過率改善方式は、実質的にＲ及びＢの光量を増大させ、その結果として、ウィンドウ１１０に表現される色が青みがかった（Ｂｌｕｉｓｈ）色を帯びるようにする。
【００３３】
これにより、本発明の偏光構造物１３０は、第２波長板１３６の上層に配置された第１波長板１３５を用いて前述した青みがかった現象を除去するようにしている。また、前記第１波長板１３５は、第２波長板１３６を透過する光に対する１８０度位相遅延を発生させることができ、このような特性は、反射光に対しては第１波長板１３５を透過しないように無反射処理することができる。
【００３４】
これをさらに詳しく説明すれば、反射光の場合、前述したＰＶＡ層１３２を通過しながら偏光され、偏光された光が第１波長板１３５を透過しながら１８０度位相遅延、例えば、水平偏光が垂直偏光に変更される。そして、変更された偏光は、さらに第２波長板１３６を経由しながら９０度位相遅延を発生させ、前記位相遅延された光がＡＭＯＬＥＤ層１４０で反射される場合、反射光として第２波長板１３６に入射されることによって、第２波長板１３６で正確な９０度位相遅延が発生した光は、第２波長板１３６を透過することができないので、無反射が発生するようになる。
【００３５】
ところが、前述したように、前記第２波長板１３６が特定の波長、例えばＧ波長領域を集中的に吸収するように形成された場合、Ｒ及びＢの要素は、第２波長板１３６に対して正確な９０度位相遅延が発生せず、９０度より小さいかまたは大きい位相遅延が発生するので、ＡＭＯＬＥＤ層１４０を通じて反射されたＲ及びＢの反射光は、第２波長板１３６を透過し、第１波長板１３５に伝達されることができる。この時、第１波長板１３５に伝達される第２波長板１３６を透過した光は、第１波長板１３５を透過しながら偏光されるので、第１波長板１３５によってさらに反射されて遮断されることができる。すなわち最初に第１波長板１３５を透過した偏光は、１８０度位相遅延が発生し、第２波長板１３６でさらに９０度位相遅延が発生し、ＡＭＯＬＥＤ層１４０で光反射され、さらに第２波長板１３６を透過しながら９０度位相遅延が発生するので、実質的に第１波長板１３５の下面に入射される反射光は、第１波長板１３５を透過する光に比べて１８０度反転された波長を有するようになる。これにより、第１波長板１３５の下面から第２波長板１３６を経て第１波長板１３５を透過する反射光は、第１波長板１３５によって反射されて除去されることができる。これにより、本発明の偏光構造物１３０は、反射光の抑制をさらに改善し、高い明暗比を提供することができ、リアルブラックを支援することができる。ここで、前記第１波長板１３５及び第２波長板１３６は、有機発光素子１００上に形成されるとき、構造的に上下層に配置されるので、垂直を基準にして第１波長板１３５及び第２波長板１３６は、０度を持って配置されることが好ましい。すなわち前記第１波長板１３５及び第２波長板１３６は、傾斜を有しないように配置される場合、透過される反射光を適切に除去することができる。これにより、第１波長板１３５及び第２波長板１３６を透過した光が反射され、前記第１波長板１３５及び第２波長板１３６をさらに透過するとき、光が反射−反射され、相殺されることができる。
【００３６】
一方、前記第１波長板１３５は、ＡＭＯＬＥＤ層１４０で生成されて照射された光のうちＲ及びＢの吸収率増大を支援し、Ｇの透過率を支援することによって、さらに改善された光学特性を支援することができる。これをさらに詳しく説明すれば、前述したように、第２波長板１３６が透過率改善のために特定波長帯域の光を集中吸収する代わりに、他の波長帯域の光の透過率を改善するように形成されるので、第１波長板１３５に伝達される光には、Ｒ及びＢの要素が増大されることができる。これにより、本発明の第１波長板１３５は、特定波長λ、すなわち前述したＲ及びＢの波長に対する吸収率を高め、Ｇの透過率を改善するように、染料系（ｄｙｅ  ｓｙｓｔｅｍ）を形成するか、または当該波長帯域の吸収率増大のためのナノ斜方蒸着構造（ｎａｎｏ  ｏｂｌｉｑｕｅ  ａｎｇｌｅ  ｄｅｐｏｓｉｔｉｏｎ）の設計方式で生成されることができる。ナノ斜方蒸着構造の設計方式の場合、第１波長板１３５上に構造物を蒸着させ、且つ一定の速度を有しながら回転するようにして、構造物が生成する多数の柱が一定の傾斜を有するように形成することができ、これにより、第１波長板１３５を透過する光は、円偏光されることができる。前記一定の傾斜は、吸収しようとする波長帯域及び透過しようとする波長帯域によって決定されることができる。また、本発明の第１波長板１３５は、前述したように、特定波長帯域の吸収率改善及び特定波長帯域の透過率改善のための染料系を形成することによって製作可能である。このように生成された第１波長板１３５は、Ｒ及びＢの波長帯域を吸収することによって、青みがかった色を帯びる現象を除去することができる。一方、前述した説明において、前記第１波長板１３５及び第２波長板１３６の厚さは、当該波長板の位相遅延が各々１８０度及び９０度に決定されるので、当該波長板を構成する物質の複屈折率程度と波長によって決定されることができる。
【００３７】
前述したように、本発明の第１波長板１３５及び第２波長板１３６の複層構造を有する本発明の偏光構造物１３０は、外部から入射される光によって発生する反射光は、第１波長板１３５及び第２波長板１３６内で位相遅延を通じて除去することができる。また、本発明の偏光構造物１３０は、ＡＭＯＬＥＤ層１４０で生成されて照射された光の特定帯域の透過率を改善した第１波長板１３５及び第２波長板１３６を通じて高い光透過率を維持することができる。一方、前記偏光構造物１３０の吸収軸は、前記ＰＶＡ層１３２、第１波長板１３５及び第２波長板１３６の遅相軸に対して各々一定の角度だけ傾く形状を有することによって、全波長帯に対して均一な色感を有するように支援することができる。これをさらに詳しく説明すれば、前記第１波長板１３５及び第２波長板１３６は、直線偏光を円偏光に変換しながら波長分散が最小となるように一定の角度を持って配置されることができ、例えば、前記第１波長板１３５は、フィルムの遅相軸（Ｓｌｏｗ  Ａｘｉｓ）が前記ＰＶＡ層１３２に対して１５度だけ傾いた角度を持って形成され、前記第２波長板１３６の遅相軸は、前記第１波長板１３５の遅相軸に対して６０度だけ傾いた角度を持って形成されることができる。このような配置により、前記偏光構造物１３０は、透過する光に対して最小の波長分散を有するようにして、全波長帯にわたって同一の色感を有するように支援することができる。
【００３８】
前述した本発明の偏光構造物１３０が適用された光特性を下記の表１に示す。
【００３９】
【表１】
2011210724.tif 000003
【００４０】
表１から明らかなように、本発明は、白色光の透過率を改善することによって“Ｗｈｉｔｅ”輝度が改善され、結果的にコントラストが改善されたことが分かる。前記色座標は、ＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ）色座標を基準にしたものである。表１から明らかなように、各々Ｒ、Ｇ及びＢのＸ軸及びＹ軸座標が当該Ｒ、Ｇ及びＢの色座標に少しずつ移動することによって、当該色感がさらに明瞭に示されることが分かる。すなわち、ＣＩＥ色座標の白色光を構成する成分を基準にしてＲ成分は、従来と比べてＸ軸右側に、Ｙ軸下側に移動した座標を示し、さらに赤色の色感が投影されたことを意味し、Ｇ成分は、Ｘ軸に右側、Ｙ軸に下側に移動することによって、Ｇ成分が減衰されたことを示す。実質的にＧ成分は、第２波長板１３６で集中吸収された後、第１波長板１３５に少量吸収されることによって減衰されるものと判断され、本発明は、このようなＧ成分の減衰によって他の光に比べて効率が高いＧ成分の適正減衰程度を支援することができる。Ｂ成分は、Ｙ軸に若干移動することによって、さらに青色の色感が投影されたことを意味することができる。全体的に表１から明らかなように、従来と比べて色透過率が改善され、反射光の除去によりコントラストが改善されたことが分かる。
【００４１】
図５は、本発明の実施形態による偏光構造物１３０が適用された有機発光素子１００において各可視光線波長帯域での反射率を示すグラフである。
【００４２】
図５に示されたように、従来に比べて本発明の可視光線波長帯域は、全体的にＲ、Ｇ、Ｂ成分に対する反射光をほぼ無反射に近く維持するように支援することが分かる。これにより、本発明の偏光構造物１３０を利用した有機発光素子１００は、反射光のうちＲ、Ｇ、Ｂ成分を均一に除去することによって、青みがかった特性を除去することができることが分かる。
【００４３】
一方、前述した説明では、第２波長板１３６がＲ、Ｇ及びＢ成分のうちＧ成分に対して集中吸収し、他の成分を集中透過するように形成されることを例示したが、本発明がこれに限定されるものではない。すなわち、前記第２波長板１３６がＲ成分またはＢ成分のうちいずれか１つを集中吸収し、他の成分を集中透過するように形成される場合、前記第１波長板１３５が第２波長板１３６で処理されない光成分に対する吸収または透過処理を行うように形成することができる。このような形成は、前述したように、波長板の厚さや複屈折率を調節することによって行われることができる。
【００４４】
前述したように、本発明の有機発光素子１００は、ウィンドウ１１０と偏光構造物１３０との間にレジン１２０が配置された構造において偏光構造物１３０の特性によって発生し得る青みがかった問題を偏光構造物１３０内で処理するようにして、さらに黒色に近いリアルブラックを実現することによって、有機発光素子１００の明暗比の改善によるユーザの視認性を改善することができる。特に本発明の有機発光素子１００は、第１波長板１３５及び第２波長板１３６が各々１／２波長板及び１／４波長板を垂直を基準にして０度を有するように配置し、外部から入射される光が反射される場合、反射光を無反射処理するようにすることができる構造を提供している。また、本発明の有機発光素子１００は、ＡＭＯＬＥＤ層１４０で発生した光の透過効率を改善するために、第２波長板１３６を特定の可視光線波長領域を集中的に透過するかまたは吸収するように形成した場合、第１波長板１３５を第２波長板１３６で除外された可視光線波長領域を集中的に透過するかまたは吸収することができるように形成することによって、ＡＭＯＬＥＤ層１４０で発生した光の透過効率を改善することができるように支援することができる。ここで、前記第１波長板１３５及び第２波長板１３６に対する特定波長領域に対する吸収率または透過率改善のための設計方式は、前述したように、染料系特性を適用するか、または斜方蒸着方式を用いて達成することができる。
【００４５】
以上、前述した有機発光素子１００は、偏光構造物１３０を中心に光学的な観点でその構造を説明したが、本発明が前述した単純構造の有機発光素子に限定されるものではなく、その提供形態として、近距離通信のための近距離通信モジュール、被写体の停止画／動画を撮影するためのカメラモジュール、前記携帯有機発光素子１００の有線通信方式または無線通信方式によるデータ送受信のためのインターフェース、インターネットネットワークと通信してインターネット機能を行うインターネット通信モジュール及びデジタル放送受信と再生機能を行うデジタル放送モジュールなどのように、上記で言及しないか、簡略に言及した構成をさらに含むこともできる。このような構成要素は、デジタル機器の収束する方向（ｃｏｎｖｅｒｇｅｎｃｅ  ｔｒｅｎｄ）によって変形が非常に多様なので、すべて列挙することはできないが、前記言及された構成要素と同等な水準の構成要素が前記デバイスに追加にさらに含まれて構成されることができる。また、本発明の有機発光素子１００は、その提供形態によって前述した構成から特定の構成が除外されるか、または他の構成に代替されることもできることは勿論である。これは、本技術分野における通常の知識を有する者に容易に理解されることができる。
【００４６】
また、本発明の実施形態による偏光構造物を含む有機発光素子１００は、多様な通信方式による通信サービスを提供することができる。例えば、前記有機発光素子１００は、多様な通信システムに対応する通信プロトコル（ｃｏｍｍｕｎｉｃａｔｉｏｎ  ｐｒｏｔｏｃｏｌｓ）に基づいて動作するすべての移動通信有機発光素子（ｍｏｂｉｌｅ  ｃｏｍｍｕｎｉｃａｔｉｏｎｔｅｒｍｉｎａｌｓ）を含めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）及びハンドヘルドパソコンなどすべての情報通信機器とマルチメディア機器及びそれに対する応用機器を含むことができる。
【００４７】
以上、本発明をいくつかの好ましい実施形態を使用して説明したが、これらの実施形態は、例示的なものであって、限定的なものではない。このように、本発明の属する技術分野における通常の知識を有する者なら本発明の思想と特許請求範囲に提示された権利範囲から脱しない範囲で均等論によって多様な変化と修正を加えることができることを理解することができる。
【符号の説明】
【００４８】
１００  有機発光素子
１１０  ウィンドウ
１２０  レジン
１３０  偏光構造物
１４０  ＡＭＯＬＥＤ層
１５０  ケース
１３１  第１ＴＡＣ層
１３２  ＰＶＡ層
１３３  第２ＴＡＣ層
１３４  第１接着層
１３５  第１波長板
１３６  第２波長板
１３７  第２接着層
【図１】
2011210724.tif 000004
【図２】
2011210724.tif 000005
【図３】
2011210724.tif 000006
【図４】
2011210724.tif 000007
【図５】
2011210724.tif 000008